(57)【要約】【課題】故障の種類を容易に判定することができるポンプシステムを提供する。【解決手段】ポンプシステム２は、遠心ポンプ４と、遠心ポンプ４を駆動する電動機７の電流を検出する電流検出部９と、遠心ポンプ４の吸込側の圧力を検出する第一圧力検出部１０Ａと、吐出側の圧力を検出する第二圧力検出部１０Ｂと、演算装置８１と、を備え、演算装置８１は、遠心ポンプ４のヘッドを演算するヘッド演算部と、電流検出部の検出値が適正範囲内か否かを判定する電流値判定部と、ヘッドが適正範囲内か否かを判定するヘッド判定部と、電流値判定部とヘッド判定部との判定結果に基づいて異常原因を判定する異常判定部と、を有する。【選択図】図２
2019173579.tif 000002
【特許請求の範囲】
【請求項１】
流体を圧送する遠心ポンプと、
前記遠心ポンプを駆動する電動機の電流を検出する電流検出部と、
前記遠心ポンプの吸込側の圧力を検出する第一圧力検出部と、
前記遠心ポンプの吐出側の圧力を検出する第二圧力検出部と、
演算装置と、
を備え、
前記演算装置は、
前記第一圧力検出部および前記第二圧力検出部の検出値に基づいて、前記遠心ポンプのヘッドを演算するヘッド演算部と、
前記電流検出部の検出値が適正範囲内か否かを判定する電流値判定部と、
前記ヘッドが適正範囲内か否かを判定するヘッド判定部と、
前記電流値判定部と前記ヘッド判定部との判定結果に基づいて異常原因を判定する異常判定部と、
を有するポンプシステム。
【請求項２】
前記遠心ポンプから吐出された流体が流通する吐出管及び吐出系統をさらに備え、
前記ヘッドが適正範囲よりも大きく、かつ前記電流が適正範囲よりも小さい場合、前記異常判定部は、前記吐出管及び前記吐出系統における圧力損失の増大を前記異常原因として判定する請求項１に記載のポンプシステム。
【請求項３】
前記吐出管上に配置された流量調整弁をさらに備え、
前記演算装置は、
前記異常判定部によって前記吐出管及び前記吐出系統における圧力損失が前記異常原因として判定された場合に、前記流量調整弁の開度を大きくなる方向に調整する開度調整部をさらに有する請求項２に記載のポンプシステム。
【請求項４】
前記ヘッドが適正範囲よりも小さく、かつ前記電流が適正範囲よりも小さい場合に、前記異常判定部は、前記遠心ポンプの羽根車の劣化を前記異常原因として判定する請求項１に記載のポンプシステム。
【請求項５】
前記遠心ポンプから吐出された流体が流通する吐出管と、
前記吐出管上に配置された流量調整弁と、
をさらに備え、
前記演算装置は、
前記異常判定部によって前記羽根車の劣化が前記異常原因として判定された場合に、前記流量調整弁の開度を小さくなる方向に調整する開度調整部をさらに有する請求項４に記載のポンプシステム。
【請求項６】
前記電流のみが適正範囲よりも大きい場合、前記異常判定部は、前記遠心ポンプにおける機械損失の増大を前記異常原因として判定する請求項１に記載のポンプシステム。
【請求項７】
前記遠心ポンプから吐出された流体が流通する吐出管と、
前記吐出管上に配置された流量調整弁と、
をさらに備え、
前記演算装置は、
前記電流値判定部と前記ヘッド判定部との判定結果に基づいて、前記流量調整弁の開度を調整する開度調整部をさらに有する請求項１、２、４及び６のいずれか一項に記載のポンプシステム。
【請求項８】
前記吐出管は、
主吐出管と、
前記主吐出管の一部をバイパスするとともに前記主吐出管よりも流路断面積の小さいバイパス管と、
を有し、
前記流量調整弁は、前記バイパス管上に設けられている請求項３、５及び７のいずれか一項に記載のポンプシステム。
【請求項９】
請求項１から８のいずれか一項に記載のポンプシステムを備えるプラント。
【発明の詳細な説明】
【技術分野】
【０００１】
本発明は、ポンプシステム、プラントに関する。
【背景技術】
【０００２】
例えばケミカルプラントやオイルプラント、食品プラントでは、機器の冷却や洗浄を目的として大量の水が使用される。水は、ポンプによって常態的にプラント内の各機器に圧送される。プラントを安定的に運用し続けるためには、ポンプの故障や異常動作によって水の供給が停止される事態を極力避ける必要がある。このため、ポンプの異常が発生した場合に、これを即時に検知することが可能な技術が実用化されている。このような技術の一例として、下記特許文献１に記載されたポンプの故障診断方法が知られている。
【０００３】
特許文献１に記載された故障診断方法では、ポンプを駆動するモータの電流値が監視され、当該電流値が予め設定された下限値を下回った場合に、ポンプに異常（故障）が発生したと判定される。具体的には、ポンプのインペラの磨耗による楊程低下や、配管の詰まりによる圧力損失の増大が発生したことを検知できるとされている。
【先行技術文献】
【特許文献】
【０００４】
【特許文献１】特開平８−７５６１７号公報
【発明の概要】
【発明が解決しようとする課題】
【０００５】
しかしながら、上記特許文献１に記載された方法では、ポンプに故障が発生したこと自体は検知できる一方で、その故障の種類を精密に判定することが難しい。例えば、上述したインペラの磨耗による楊程低下と、配管の詰まりによる圧力損失の増大とでは、その後に採るべき解決策が異なる。したがって、故障が検知された後で、当該故障の種類を判定する作業がさらに必要となる。即ち、上記特許文献１に記載された診断方法を採用した場合、故障発生から復旧までに要する時間やコストが増大し、プラントの可用性（稼働率）が限定的となってしまう可能性がある。このため、故障発生の検知に加えて、故障の種類を容易に判定できるポンプシステムに対する要請が高まっている。
【０００６】
本発明は上記課題を解決するためになされたものであって、故障の種類を容易に判定することができるポンプシステム、及びこれを備えるプラントを提供することを目的とする。
【課題を解決するための手段】
【０００７】
本発明の第一の態様によれば、ポンプシステムは、流体を圧送する遠心ポンプと、前記遠心ポンプを駆動する電動機の電流を検出する電流検出部と、前記遠心ポンプの吸込側の圧力を検出する第一圧力検出部と、前記遠心ポンプの吐出側の圧力を検出する第二圧力検出部と、
演算装置と、を備え、前記演算装置は、前記第一圧力検出部および前記第二圧力検出部の検出値に基づいて、前記遠心ポンプのヘッドを演算するヘッド演算部と、前記電流検出部の検出値が適正範囲内か否かを判定する電流値判定部と、前記ヘッドが適正範囲内か否かを判定するヘッド判定部と、前記電流値判定部と前記ヘッド判定部との判定結果に基づいて異常原因を判定する異常判定部と、を有する。
【０００８】
この構成によれば、電流値判定部とヘッド判定部との測定結果がそれぞれ適正範囲内にあるか否かに基づいて、ポンプシステムに異常が発生したことを検知できるとともに、異常原因を判定することができる。
【０００９】
本発明の第二の態様によれば、ポンプシステムは、前記遠心ポンプから吐出された流体が流通する吐出管及び吐出系統をさらに備え、前記ヘッドが適正範囲よりも大きく、かつ前記電流が適正範囲よりも小さい場合、前記異常判定部は、前記吐出管及び前記吐出系統における圧力損失の増大を前記異常原因として判定してもよい。
【００１０】
この構成によれば、遠心ポンプのヘッドと、電動機の電流とを個別に測定し、かつそれぞれが適正範囲内か否かを判定することで、ポンプシステムの異常原因を判定することができる。具体的には、ヘッドが適正範囲よりも大きく、かつ電流が適正範囲よりも小さい場合、主吐出管側の圧力（遠心ポンプの吐出側の圧力）が高まっているためにヘッドが自然に高まり、それに伴って電動機に必要とされる仕事量が小さくなることで電流が小さくなっていると判断できる。したがって、異常判定部は、主吐出管における圧力損失の増大を異常原因として判定する。これにより、後続の回復措置を適切かつ早期に採ることができる。
【００１１】
本発明の第三の態様によれば、ポンプシステムは、前記遠心ポンプから吐出された流体が流通する吐出管と、前記吐出管上に配置された流量調整弁と、をさらに備え、前記演算装置は、前記異常判定部によって前記吐出管及び前記吐出系統における圧力損失が前記異常原因として判定された場合に、前記流量調整弁の開度を大きくなる方向に調整する開度調整部をさらに有してもよい。
【００１２】
この構成によれば、開度調整部が流量調整弁の開度を大きくなる方向に調整することで、吐出管を流れる流体の流量を増やすことができる。その結果、吐出管及び吐出系統の圧力損失が増大している状態であっても、遠心ポンプの吐出側における見かけ上の圧力が低下する。したがって、遠心ポンプのヘッドを低下させ、適正範囲内に戻すことができる。
【００１３】
本発明の第四の態様によれば、前記ヘッドが適正範囲よりも小さく、かつ前記電流が適正範囲よりも小さい場合、前記異常判定部は、前記遠心ポンプの羽根車の劣化を前記異常原因として判定してもよい。
【００１４】
この構成によれば、遠心ポンプのヘッドと、電動機の電流とを個別に測定し、かつそれぞれが適正範囲内か否かを判定することで、ポンプシステムの異常原因を判定することができる。具体的には、ヘッドが適正範囲よりも小さく、かつ電流が適正範囲よりも小さい場合には、遠心ポンプの内部異常によってヘッドが下がるとともに当該遠心ポンプにかかる負荷が小さくなる。負荷が小さくなることで、電動機の電流が小さくなると判断できる。したがって、異常判定部は、遠心ポンプの羽根車に生じた劣化を異常原因として判定する。これにより、後続の回復措置を適切かつ早期に採ることができる。
【００１５】
本発明の第五の態様によれば、ポンプシステムは、前記遠心ポンプから吐出された流体が流通する吐出管と、前記吐出管上に配置された流量調整弁と、をさらに備え、前記演算装置は、前記異常判定部によって前記羽根車の劣化が前記異常原因として判定された場合に、前記流量調整弁の開度を小さくなる方向に調整する開度調整部をさらに有してもよい。
【００１６】
この構成によれば、開度調整部が流量調整弁の開度を小さくなる方向に調整することで、吐出管を流れる流体の流量を小さくすることができる。その結果、遠心ポンプの吐出側における見かけ上の圧力が上昇する。したがって、遠心ポンプのヘッドを上昇させ、適正範囲内に戻すことができる。
【００１７】
本発明の第六の態様によれば、前記電流のみが適正範囲よりも大きい場合、前記異常判定部は、前記遠心ポンプにおける機械損失の増大を前記異常原因として判定してもよい。
【００１８】
この構成によれば、遠心ポンプのヘッドと、電動機の電流とを個別に測定し、かつそれぞれが適正範囲内か否かを判定することで、ポンプシステムの異常原因を判定することができる。具体的には、電流のみが適正範囲よりも大きい場合、所期のヘッドを達成するのに必要となるエネルギーが増加している状態にあると判断することができる。即ち、遠心ポンプ内で機械損失が生じていると判断することができる。したがって、異常判定部は、遠心ポンプにおける機械損失を異常原因として判定する。これにより、後続の回復措置を適切かつ早期に採ることができる。なお、ここで言う機械損失とは、例えば遠心ポンプのロータにおける回転抵抗の上昇が具体的に考えられる。
【００１９】
本発明の第七の態様によれば、ポンプシステムは、前記遠心ポンプから吐出された流体が流通する吐出管と、前記吐出管上に配置された流量調整弁と、をさらに備え、前記演算装置は、前記電流値判定部と前記ヘッド判定部との判定結果に基づいて、前記流量調整弁の開度を調整する開度調整部をさらに有してもよい。
【００２０】
この構成によれば、流量調整弁と、流量調整弁の開度を調整する開度調整部が設けられていることから、ポンプシステムに異常が発生した場合であっても、ポンプシステムを停止することなく、当該異常を是正する措置を採ることができる。一方で、流量調整弁及び開度調整部が設けられていない場合、異常が発生した時点でポンプシステムを停止させ、異常の原因となった部品や配管を交換したり洗浄したりする必要が生じる。上記の構成によれば、このような事態が発生する可能性を低減することができる。
【００２１】
本発明の第八の態様によれば、前記吐出管は、主吐出管と、前記主吐出管の一部をバイパスするとともに前記主吐出管よりも流路断面積の小さいバイパス管と、を有し、前記流量調整弁は、前記バイパス管上に設けられていてもよい。
【００２２】
この構成によれば、流量調整弁がバイパス弁上に設けられ、当該バイパス管は主吐出管よりも流路断面積が小さい。したがって、流量調整弁の開度を調整した場合、主吐出管全体としての流量をより精緻に変化させることができる。
【００２３】
本発明の第九の態様によれば、プラントは、上記いずれか一の態様に係るポンプシステムを備える。
【００２４】
この構成によれば、故障の種類を容易に判定することができるポンプシステムを備えることで、より安定的な運用が可能なプラントを提供することができる。
【発明の効果】
【００２５】
本発明によれば、故障の種類を容易に判定することができるポンプシステム、及びこれを備えるプラントを提供することができる。
【図面の簡単な説明】
【００２６】
【図１】本発明の実施形態に係るプラントの構成を示す模式図である。
【図２】本発明の実施形態に係るポンプシステムの構成を示す図である。
【図３】本発明の実施形態に係る演算装置の構成を示すブロック図である。
【図４】本発明の実施形態に係る演算装置の処理を示すフローチャートである。
【図５】本発明の実施形態に係るポンプシステムにおけるヘッドと流量、及び動力と流量の関係を示すグラフであって、吐出管及び吐出系統に異常が発生した状態を示している。
【図６】本発明の実施形態に係るポンプシステムにおけるヘッドと流量、及び動力と流量の関係を示すグラフであって、遠心ポンプに異常が発生した状態を示している。
【図７】本発明の実施形態に係るポンプシステムにおけるヘッドと流量、及び動力と流量の関係を示すグラフであって、遠心ポンプに図６とは異なる他の異常が発生した状態を示している。
【発明を実施するための形態】
【００２７】
本発明の実施形態について図面を参照して説明する。本実施形態に係るプラント１００は、化学品を生成するケミカルプラントや、ガソリンや灯油等の石油製品を生成する石油プラント、食品を加工する食品プラント等を含む。図１に示すように、プラント１００は、生産物を生産するプラント本体１と、プラント本体１における機器の冷却や洗浄を目的として水（流体）を供給するポンプシステム２と、を備える。プラント本体１とポンプシステム２とは、吐出系統としての供給管３によって接続されている。この供給管３を通じてポンプシステム２からプラント本体１に水が供給される。なお、図１では供給管３（吐出系統）として１つのみの管路を図示しているが、供給管３（吐出系統）は直列的、又は並列的に接続された複数の管路を有してもよい。
【００２８】
図２に示すように、ポンプシステム２は、遠心ポンプ４と、吐出管５と、吸込管６と、電動機７と、監視装置８と、を備えている。
【００２９】
遠心ポンプ４は、羽根車４１と、羽根車４１を外側から覆うとともに内部に水が流れる流路を形成するケーシング４２と、羽根車４１を回転可能に支持する回転軸４３と、を有している。詳しくは図示しないが、羽根車４１は円盤状のディスクと、ディスク上に配列された複数の羽根と、を有している。ケーシング４２には、吸込管６に連通する吸込口４４と、吐出管５に連通する吐出口４５とが形成されている。吸込管６の一端（吸込口４４とは反対側の端部）は不図示の水供給源に連通している。電動機７は、外部から供給された電力によって上記の回転軸４３を自身の中心軸周りに回転させる。回転軸４３の回転に伴って羽根車４１が回転する。羽根車４１が回転すると、吸込口４４を通じて導入された水の圧力が遠心力によって上昇する。水は、ケーシング４２内を流通した後、吐出口４５から吐出される。
【００３０】
吐出口４５には、遠心ポンプ４から吐出された水が流通する吐出管５が接続されている。吐出管５の一端（吐出口４５とは反対側の端部）は上述の供給管３（吐出系統）を介してプラント本体１に接続されている。吐出管５は、主吐出管５１と、バイパス管５２と、を有している。主吐出管５１上には、主吐出弁５１Ｖが設けられている。主吐出弁５１Ｖの開度を調整することで、主吐出管５１を流通する水の流量を変化させることができる。バイパス管５２は、主吐出管５１における主吐出弁５１Ｖよりも上流側（即ち、吐出口４５側）の位置で分岐し、主吐出弁５１Ｖよりも下流側の位置で主吐出管５１に合流している。即ち、バイパス管５２は、主吐出弁５１Ｖを迂回（バイパス）するように延びている。バイパス管５２上には、バイパス弁５２Ｖ（流量調整弁）が設けられている。バイパス弁５２Ｖとして具体的には、外部から送出された電気信号によって開度を調整することができる電磁弁が好適に用いられる。バイパス管５２の流路断面積は、主吐出管５１の流路断面積よりも小さい。
【００３１】
監視装置８は、電流検出部９と、第一圧力検出部１０Ａと、第二圧力検出部１０Ｂと、演算装置８１と、を有している。ここで、電動機７は一定の電圧下で駆動される。一方で、遠心ポンプ４の負荷は時間に伴ってわずかに変化する可能性がある。負荷が変化することによって、電動機７の駆動に要する動力も変化する。上記のように電圧が一定であることから、動力の変化は電流の変化のみに依存する。本実施形態に係る電動機７には、電流を計測するための電流検出部９が接続されている。電流検出部９として具体的には電流計が好適に用いられる。
【００３２】
吸込管６上には、当該吸込管６内の圧力（即ち、遠心ポンプ４の吸込側の圧力）を検出する第一圧力検出部１０Ａが設けられている。同様に、吐出管５上には、当該吐出管５内の圧力（即ち、遠心ポンプ４の吐出側の圧力）を検出する第二圧力検出部１０Ｂが設けられている。第一圧力検出部１０Ａ、及び第二圧力検出部１０Ｂとしては、ブルドン管や圧力センサが好適に用いられる。
【００３３】
これら電流検出部９、第一圧力検出部１０Ａ、及び第二圧力検出部１０Ｂは、演算装置８１に電気的に接続されている。即ち、電流検出部９が検出した電流値、第一圧力検出部１０Ａが検出した吸込側の圧力、及び第二圧力検出部１０Ｂが検出した吐出側の圧力は、電気信号として演算装置８１に入力される。図３に示すように演算装置８１は、ヘッド演算部８１１と、電流値判定部８１２と、ヘッド判定部８１３と、異常判定部８１４と、開度調整部８１５と、を有している。
【００３４】
ヘッド演算部８１１は、第一圧力検出部１０Ａ及び第二圧力検出部１０Ｂの検出値に基づいて、遠心ポンプ４のヘッド（楊程）を演算によって求める。具体的には、第二圧力検出部１０Ｂによって検出された吐出側の圧力と、第一圧力検出部１０Ａによって検出された吸込側の圧力との差分を求めることで、遠心ポンプ４のヘッドが算出される。
【００３５】
電流値判定部８１２は、電流検出部９の検出値が、予め定められた適正範囲内にあるか否かを判定する。ヘッド判定部８１３は、上述のヘッド演算部８１１によって得られたヘッドの値が、予め定められた適正範囲内にあるか否かを判定する。異常判定部８１４は、電流値判定部８１２とヘッド判定部８１３との判定結果に基づいて、ポンプシステム２の動作に異常が発生したことを検知するともに、異常の種類（異常原因）を判定する。開度調整部８１５は、ポンプシステム２に異常が発生した場合に、異常原因に応じて、バイパス弁５２Ｖの開度を調整するための電気信号をバイパス弁５２Ｖに送出する。
【００３６】
次に、本実施形態に係るポンプシステム２、及び監視装置８の動作を説明する。ポンプシステム２を運転するに当たっては、まず電動機７によって遠心ポンプ４を駆動する。遠心ポンプ４の駆動に伴って、吸込側から吐出側に向かって水が圧送される。なお、通常の運転時（即ち、異常が発生していない場合）には、上述の主吐出弁５１Ｖは全開状態とされ、バイパス弁５２Ｖは、管径に応じた所定の開度に開放した状態とされる。即ち、通常の運転時には、遠心ポンプ４から吐出された水の大部分は主吐出管５１内を流通する。
【００３７】
ここで、長期にわたって運用した場合、種々の要因によってポンプシステム２に異常が生じることがある。本実施形態に係る監視装置８は、ポンプシステム２に異常が生じた場合、遠心ポンプ４のヘッドや電動機７の電流値の変化に基づいてこれを検知する。より具体的には、図４に示すように、演算装置８１は、ヘッド演算部８１１によってヘッドを算出するステップＳ１と、電流検出部９によって電流を検出するステップＳ２と、ヘッド判定部８１３及び電流値判定部８１２の判定結果に基づいて異常判定（異常原因の判定）を行うステップＳ３と、を実行する。詳しくは後述するが、異常判定ステップＳ３では、図４に示すように異常原因がＣ１，Ｃ２，Ｃ３のうちのいずれか１つとして特定される。異常原因Ｃ１は主吐出管及び供給管３の圧力損失増大であり、異常原因Ｃ２は羽根車の劣化であり、異常原因Ｃ３は遠心ポンプの機械損失増大である。
【００３８】
続いて、図５から図７を参照して、異常判定ステップＳ３の詳細について説明する。図５から図７は、流量（吐出管５の流量）とヘッドとの関係、及び流量と動力の関係を示す性能曲線と、性能曲線と運転点との関係を示す抵抗曲線とを図示したものである。なお、上述のように電動機７は一定の電圧下で運転されるため、動力は電流量に比例する。したがって、図５から図７中における動力の値は電流の値と等価である。図５から図７中におけるヘッド曲線Ｃｈが示すように、流量の増加に伴って、ヘッドは低下する。一方で、動力曲線Ｃｐが示すように、流量の増加に伴って、動力は増加する。
【００３９】
図５に示すように、通常運転時の抵抗曲線である通常抵抗曲線Ｃｒｎは、原点から上昇する下に凸の曲線状をなしている。通常抵抗曲線Ｃｒｎとヘッド曲線Ｃｈとの交点は運転点と呼ばれる。この運転点が設計要求（仕様点）と合致するように遠心ポンプ４の型式が選定される。なお、運転点を頂点の一つとする三角形の領域は、流量とヘッドとが取るべき正常範囲を表している。即ち、流量やヘッドが変化しても、運転点が当該正常範囲内にある場合は通常運転が継続される。この正常範囲の大きさは、ポンプシステム２の設計要求や、見込むべき余裕度に基づいて設定される。
【００４０】
ここで、図５に示すように、ポンプシステム２の継続運転に伴って、運転点の位置が変化することがある。即ち、通常抵抗曲線Ｃｒｎが、当該通常抵抗曲線Ｃｒｎよりも流量が減少する側に位置する第一抵抗曲線Ｃｒ１、又は第二抵抗曲線Ｃｒ２に変化し、これに伴って運転点がＡからＡ´又はＡ´´に移動することがある。具体的にはヘッドが適正範囲よりも大きく、かつ電流が適正範囲よりも小さくなる。この状態は、主吐出管５１側の圧力（遠心ポンプ４の吐出側の圧力）が高まっているためにヘッドが自然に高まり、それに伴って電動機７に必要とされる仕事量が小さくなることで電流が小さくなっていると説明することができる。したがって、異常判定部８１４は、主吐出管５１及び供給管３における圧力損失の増大を異常原因として判定する。主吐出管５１及び供給管３の圧力損失の増大は、具体的には主吐出管５１内の詰まりが原因として挙げられる。
【００４１】
異常判定部８１４によって、主吐出管５１及び供給管３の圧力損失の増大が異常原因であると判定された場合（即ち、図４における異常判定ステップＳ３で異常原因Ｃ１が特定された場合）、開度調整部８１５はバイパス弁５２Ｖの開度を大きくなる方向に調整する。開度調整部８１５がバイパス弁５２Ｖの開度を大きくなる方向に調整することで、バイパス管５２を流れる流体の流量が増加する。その結果、主吐出管５１及び供給管３の圧力損失が増大している状態であっても、遠心ポンプ４の吐出側における見かけ上の圧力が低下する。したがって、遠心ポンプ４のヘッドが低下して適正範囲内に戻り、ポンプシステム２の運転を継続することができる。
【００４２】
一方で、バイパス弁５２Ｖの開度を変化させてもヘッドが適正範囲内に戻らない場合、即ちヘッドの低下が著しく大きい場合には、アラーム等により管理者にその旨を報知する構成を取ることも可能である。
【００４３】
上記のケースに加えて、ポンプシステム２の継続運転に伴って、吐出管５及び供給管３ではなく遠心ポンプ４の性能に変化が生じる場合がある。具体的には図６に示すように、ヘッド曲線Ｃｈが全体的に下方に移動し、動力曲線Ｃｐも全体的に下方に移動することがある。即ち、ヘッドが低下するとともに、動力が低下している状態が生じる。この時、運転点はＢからＢ´に移動する。
【００４４】
このように、ヘッドが適正範囲よりも小さく、かつ電流が適正範囲よりも小さい場合、遠心ポンプ４の内部異常によってヘッドが下がるとともに当該遠心ポンプ４にかかる負荷が小さくなったと説明できる。さらに、負荷が小さくなることで、電動機７の電流が小さくなると判断できる。したがって、異常判定部８１４は、遠心ポンプ４の内部異常を異常原因として判定する。遠心ポンプ４の内部異常とは、羽根車４１の劣化（磨耗や欠損）を含む。
【００４５】
異常判定部８１４によって羽根車４１の劣化が異常原因として判定された場合、開度調整部８１５は、バイパス弁５２Ｖの開度を小さくなる方向に調整する。開度調整部８１５がバイパス弁５２Ｖの開度を小さくなる方向に調整することで、バイパス管５２を流れる流体の流量が小さくなる。その結果、遠心ポンプ４の吐出側における見かけ上の圧力が上昇する。これにより、運転点はＢ´からＢ´´に移動する。したがって、遠心ポンプ４のヘッドが上昇して適正範囲内に戻り、ポンプシステム２の運転を継続することができる。
【００４６】
一方で、バイパス弁５２Ｖの開度を変化させてもヘッドが適正範囲内に戻らない場合、即ちヘッドの低下が著しく大きい場合には、アラーム等により管理者にその旨を報知する構成を取ることも可能である。
【００４７】
さらに他のケースとして、図７に示すように動力曲線Ｃｐのみが全体的に上方に移動することがある。即ち、ヘッドが変化していないにも関わらず、動力が増大している状態が生じる。この時、動力の値はＣからＣ´に変化する。
【００４８】
このように、動力のみ（電流のみ）が適正範囲よりも大きい場合、所期のヘッドは得られているものの、当該ヘッドを達成するために必要となるエネルギーが増加している状態にあると判断することができる。即ち、遠心ポンプ４内で機械損失が生じていると説明することができる。したがって、異常判定部８１４は、遠心ポンプ４における機械損失を異常原因として判定する。なお、ここで言う機械損失とは、例えば遠心ポンプ４の回転軸４３における回転抵抗の上昇が具体的に考えられる。このケースでは、上記２つのケースと異なり、所期のヘッドは得られていることから、プラント１００の運用に即時の影響を与えることは考えにくい。しかしながら、遠心ポンプ４のメンテナンス計画を直ちに立案することが望ましい。
【００４９】
以上、説明したように、本実施形態に係る構成によれば、電流値判定部８１２とヘッド判定部８１３との測定結果がそれぞれ適正範囲内にあるか否かに基づいて、ポンプシステム２に異常が発生したことを検知できるとともに、異常原因を判定することができる。
【００５０】
さらに、上記の構成によれば、流量調整弁としてのバイパス弁５２Ｖと、バイパス弁５２Ｖの開度を調整する開度調整部８１５が設けられていることから、ポンプシステム２に異常が発生した場合であっても、ポンプシステム２を停止することなく、当該異常を是正する措置を採ることができる。一方で、バイパス弁５２Ｖ及び開度調整部８１５が設けられていない場合、異常が発生した時点でポンプシステム２を停止させ、異常の原因となった部品や配管を交換したり洗浄したりする必要が生じる。上記の構成によれば、このような事態が発生する可能性を低減することができる。
【００５１】
加えて、上記の構成によれば、吐出管５が主吐出管５１とバイパス管５２とを有し、当該バイパス弁５２Ｖが設けられるバイパス管５２は主吐出管５１よりも流路断面積が小さい。さらに、バイパス弁５２Ｖは流量調整弁として機能する。したがって、バイパス弁５２Ｖの開度を調整することによって、吐出管５全体としての流量（主吐出管５１を流れる水の流量と、バイパス管５２を流れる水の流量の合計）をより精緻に変化させることができる。
【００５２】
さらに加えて、バイパス弁５２Ｖと、バイパス弁５２Ｖの開度を調整する開度調整部８１５が設けられていることから、上述の異常が発生した場合であっても、ポンプシステム２を停止することなく、当該異常を是正する措置を採ることができる。一方で、バイパス弁５２Ｖ及び開度調整部８１５が設けられていない場合、異常が発生した時点でポンプシステム２を停止させ、異常の原因となった部品や配管を交換したり洗浄したりする必要が生じる。上記の構成によれば、このような事態が発生する可能性を低減することができる。
【００５３】
また、上記の構成によれば、遠心ポンプ４のヘッドと、電動機７の電流とを個別に測定し、かつそれぞれが適正範囲内か否かを判定することで、ポンプシステム２の異常原因を判定することができる。具体的には、ヘッドが適正範囲よりも大きく、かつ電流が適正範囲よりも小さい場合、主吐出管５１側の圧力（遠心ポンプ４の吐出側の圧力）が高まっているためにヘッドが自然に高まり、それに伴って電動機７に必要とされる仕事量が小さくなることで電流が小さくなっていると判断できる。したがって、異常判定部８１４は、主吐出管５１及び供給管３における圧力損失の増大を異常原因として判定する。これにより、後続の回復措置を適切かつ早期に採ることができる。
【００５４】
主吐出管５１及び供給管３における圧力損失の増大が異常原因として判定された場合、開度調整部８１５がバイパス弁５２Ｖの開度を大きくなる方向に調整することで、バイパス管５２を流れる流体の流量を増やすことができる。その結果、主吐出管５１及び供給管３の圧力損失が増大している状態であっても、遠心ポンプ４の吐出側における見かけ上の圧力が低下する。したがって、遠心ポンプ４のヘッドを低下させ、適正範囲内に戻すことができる。
【００５５】
一方で、ヘッドが適正範囲よりも小さく、かつ電流が適正範囲よりも小さい場合には、遠心ポンプ４の内部異常によってヘッドが下がるとともに当該遠心ポンプ４にかかる負荷が小さくなる。負荷が小さくなることで、電動機７の電流が小さくなると判断できる。したがって、異常判定部８１４は、遠心ポンプ４の羽根車４１に生じた劣化を異常原因として判定する。これにより、後続の回復措置を適切かつ早期に採ることができる。
【００５６】
羽根車４１の劣化が異常原因として判定された場合、開度調整部８１５がバイパス弁５２Ｖの開度を小さくなる方向に調整することで、バイパス管５２を流れる流体の流量を小さくすることができる。その結果、遠心ポンプ４の吐出側における見かけ上の圧力が上昇する。したがって、遠心ポンプ４のヘッドを上昇させ、適正範囲内に戻すことができる。
【００５７】
さらに、電流のみが適正範囲よりも大きい場合、所期のヘッドを達成するのに必要となるエネルギーが増加している状態にあると判断することができる。即ち、遠心ポンプ４内で機械損失が生じていると判断することができる。したがって、異常判定部８１４は、遠心ポンプ４における機械損失を異常原因として判定する。これにより、後続の回復措置を適切かつ早期に採ることができる。なお、ここで言う機械損失とは、例えば遠心ポンプ４の回転軸４３における回転抵Ｆ抗の上昇が具体的に考えられる。
【００５８】
加えて、上記の構成では、異常が発生していない場合であっても、バイパス弁５２Ｖの開度を調整することで遠心ポンプ４の吐出側の圧力を変化させられるため、遠心ポンプ４のヘッドを最適化できるとともに、当該ヘッドを達成するのに必要となる電動機７の電流値を低く抑えることができる。したがって、遠心ポンプ４を選定するに当たって、所望の性能に対して過度の余裕を見込む必要がなく、その分だけ遠心ポンプ４や電動機７にかかるコストを削減することができる。
【００５９】
以上、本発明の実施形態について説明した。なお、本発明の要旨を逸脱しない限りにおいて、上記の構成に種々の変更や改修を施すことが可能である。例えば、上記実施形態では、吐出管５が主吐出管５１と、バイパス管５２とを有し、バイパス管５２上に流量調整弁としてのバイパス弁５２Ｖが設けられている構成について説明した。しかしながら、吐出管５、及び流量調整弁の構成は上記に限定されない。他の例として、吐出管５が主吐出管５１のみを有し、この主吐出管５１上の主吐出弁５１Ｖを流量調整弁として用いる構成を採ることも可能である。この構成によれば、ポンプシステム２の構成が簡素化され、コストのさらなる低減を図ることができる。
【符号の説明】
【００６０】
１…プラント本体
２…ポンプシステム
３…供給管（吐出系統）
４…遠心ポンプ
５…吐出管
６…吸込管
７…電動機
８…監視装置
９…電流検出部
４１…羽根車
４２…ケーシング
４３…回転軸
４４…吸込口
４５…吐出口
５１…主吐出管
５２…バイパス管
８１…演算装置
１００…プラント
８１１…ヘッド演算部
８１２…電流値判定部
８１３…ヘッド判定部
８１４…異常判定部
８１５…開度調整部
１０Ａ…第一圧力検出部
１０Ｂ…第二圧力検出部
５１Ｖ…主吐出弁
５２Ｖ…バイパス弁
Ｃｈ…ヘッド曲線
Ｃｐ…電力曲線
Ｃｒ１…第一抵抗曲線
Ｃｒ２…第二抵抗曲線
Ｃｒｎ…通常抵抗曲線
【図１】
2019173579.tif 000003
【図２】
2019173579.tif 000004
【図３】
2019173579.tif 000005
【図４】
2019173579.tif 000006
【図５】
2019173579.tif 000007
【図６】
2019173579.tif 000008
【図７】
2019173579.tif 000009